【手続補正書】
【提出日】平成18年2月20日(2006.2.20)
【手続補正１】
【補正対象書類名】明細書
【補正対象項目名】特許請求の範囲
【補正方法】変更
【補正の内容】
【特許請求の範囲】
【請求項１】  食品の急速冷却や解凍を行うことができる独立した冷却調理可能な専用室において、固体熱伝導で食品への熱伝導を促進させる冷却プレートを前記冷却調理可能な専用室の下面に設置することを特徴とする冷蔵庫。
【請求項２】  冷却プレートを収納できるスペースを保有する前記冷却調理可能な専用室の下面の仕切り板と、前記冷却プレートとからなり、前記冷却調理可能な専用室の下面の仕切り板と前記冷却プレートとの間に風路を設けることを特徴とする請求項１記載の冷蔵庫。
【請求項３】  冷却調理可能な専用室の天面に空気吐出用の風路を設けたことを特徴とする請求項１または２記載の冷蔵庫。
【請求項４】  冷却調理可能な専用室のドア下部に空気遮断装置を設けることを特徴とする請求項１から３のいずれか一項記載の冷蔵庫。
【請求項５】  冷却調理可能な専用室のドア機構を、下辺を軸にした回転式扉にすることを特徴とする請求項１から４記載の冷蔵庫。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】変更
【補正の内容】
【００２０】
請求項２に記載の冷蔵庫の発明は、請求項１記載の発明に加えて、前記冷却プレートを収納できるスペースを保有する前記冷却調理可能な専用室の下面の仕切り板と、前記冷却プレートとからなり、前記冷却調理可能な専用室の下面の仕切り板と前記冷却プレートとの間に風路を設けたものであり、冷却プレート底面に生成した結露水もしくは着霜を蒸発もしくは昇華することができる上、冷却プレートの熱を冷却調理可能な専用室へ循環できるという作用を有する。
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】変更
【補正の内容】
【００２４】
請求項３に記載の冷蔵庫の発明は、請求項１または２記載の発明に加えて、冷却調理可能な専用室の天面に空気吐出用の風路を設けたものであり、冷却物に風を供給することで、食品表面の熱伝導を促進させるという作用を有する。
【手続補正１５】
【補正対象書類名】明細書
【補正対象項目名】００２５
【補正方法】変更
【補正の内容】
【００２５】
請求項４に記載の冷蔵庫の発明は、請求項１から３記載の発明に加えて、冷却調理可能な専用室のドア下部に空気遮断装置を設けるものであり、冷却された冷却プレートがドア付近からの熱と湿気流入を遮断させるという作用を有する。
【手続補正１６】
【補正対象書類名】明細書
【補正対象項目名】００２６
【補正方法】変更
【補正の内容】
【００２６】
請求項５に記載の冷蔵庫の発明は、請求項１から４記載の発明に加えて、前記冷却調理可能な専用室のドア機構を、下辺を軸にした回転式扉にしたものであり、冷却調理可能な専用室で使用していた前記第２容器や、鍋等を水平に取り出すことができるという作用を有する。
【手続補正１７】
【補正対象書類名】明細書
【補正対象項目名】００２７
【補正方法】削除
【補正の内容】
【手続補正１８】
【補正対象書類名】明細書
【補正対象項目名】００７７
【補正方法】削除
【補正の内容】
【手続補正１９】
【補正対象書類名】明細書
【補正対象項目名】００７８
【補正方法】削除
【補正の内容】
【手続補正２０】
【補正対象書類名】明細書
【補正対象項目名】００７９
【補正方法】削除
【補正の内容】
【手続補正２１】
【補正対象書類名】明細書
【補正対象項目名】００８０
【補正方法】削除
【補正の内容】
【手続補正２２】
【補正対象書類名】明細書
【補正対象項目名】００８１
【補正方法】削除
【補正の内容】
【手続補正２３】
【補正対象書類名】明細書
【補正対象項目名】００８２
【補正方法】削除
【補正の内容】
【手続補正２４】
【補正対象書類名】明細書
【補正対象項目名】００８３
【補正方法】削除
【補正の内容】
【手続補正２５】
【補正対象書類名】明細書
【補正対象項目名】００８４
【補正方法】削除
【補正の内容】
【手続補正２６】
【補正対象書類名】明細書
【補正対象項目名】００８５
【補正方法】変更
【補正の内容】
【００８５】
また、請求項２記載の発明は、請求項１に記載の発明に加えて、冷却プレートと冷却調理可能な専用室の底面仕切り板との間に風路を構成することにより、冷却調理室内の空気を循環させ、冷却空気の風量を増大させることができる。
【手続補正２７】
【補正対象書類名】明細書
【補正対象項目名】００８６
【補正方法】削除
【補正の内容】
【手続補正２８】
【補正対象書類名】明細書
【補正対象項目名】００８７
【補正方法】削除
【補正の内容】
【手続補正２９】
【補正対象書類名】明細書
【補正対象項目名】００８８
【補正方法】削除
【補正の内容】
【手続補正３０】
【補正対象書類名】明細書
【補正対象項目名】００８９
【補正方法】変更
【補正の内容】
【００８９】
また、請求項３記載の発明は、請求項１または２記載の発明に加えて、冷却調理可能な専用室の天面に空気吐出用の風路を設けることにより、冷却物に風を供給することで、食品表面の熱伝導を促進できる。
【手続補正３１】
【補正対象書類名】明細書
【補正対象項目名】００９０
【補正方法】変更
【補正の内容】
【００９０】
また、請求項４記載の発明は、請求項１から３に記載の発明に加えて、ドア部下に空気遮断装置を設けることにより、ドア周囲からの熱リークが抑制でき、低温化、省エネルギー化ができ、また、加湿空気の進入による冷却プレートの結露、着霜を抑制することができる。
【手続補正３２】
【補正対象書類名】明細書
【補正対象項目名】００９１
【補正方法】変更
【補正の内容】
【００９１】
また、請求項５記載の発明は、請求項１から４に記載の発明に加えて、ドア機構を、下辺を軸にした回転式扉にすることにより、液状の食品等を冷蔵庫庫外に取り出す場合、水平に取り出すことができ、食品のこぼれ等を抑制することができる。
【手続補正３３】
【補正対象書類名】明細書
【補正対象項目名】００９２
【補正方法】削除
【補正の内容】